(57)【要約】【課題】  安価に製造でき、風に飛ばされ難い防草シート固定用アンカーの提供。【解決手段】  囲み枠１の内部に収納された土２の表面が防草シートで被覆され、その周縁を、土に固定する防草シート用アンカーにおいて、囲み枠１と防草シートの周縁との間に挿入される挿入部６ｂと、その挿入部６ｂの一方の端部に断面略Ｌ字状に曲折され、防草シートの縁部表面に当接される押さえ部６ａと、を有するものである。【選択図】図３
2020171227.tif 000002
【特許請求の範囲】
【請求項１】
囲み枠（１）の内部に収納された土（２）の表面が防草シートで被覆され、その周縁を、土に固定する防草シート用アンカーにおいて、
前記囲み枠（１）と防草シートの周縁との間に挿入される挿入部（６ｂ）と、
前記挿入部（６ｂ）の一方の端部に断面略Ｌ字状に曲折され、前記防草シートの縁部表面に当接される押さえ部（６ａ）と、
を有する防草シート用アンカー。
【請求項２】
前記挿入部（６ｂ）の表面（６ｅ）には、複数の突起（６ｄ）が前記押さえ部（６ａ）の曲折側に切り起こされている請求項１に記載の防草シート用アンカー。
【請求項３】
前記挿入部（６ｂ）の先端は、前記押さえ部（６ａ）の曲折側に断面略レの字状に曲折されている第１の返し部（６ｃ）を有する請求項１又は請求項２のいずれかに記載の防草シート用アンカー。
【請求項４】
前記押さえ部（６ａ）の先端縁には、前記挿入部（６ｂ）に対向して設けられている第２の返し部（６ｆ）を有する請求項１〜請求項３のいずれかに記載の防草シート用アンカー。
【発明の詳細な説明】
【技術分野】
【０００１】
大きな面積の囲み枠の内に植えられる植物に対して使用される防草シートを固定するアンカーに関する。
【背景技術】
【０００２】
従来、植物栽培用の防草シートとして、下記特許文献１のものが知られている。
特許文献１に記載された防草シートは、運ばれてきた雑草の種が、植物栽培用の植木鉢に入れられた土壌に直接付着しないように、円形のカバーを土壌表面に被覆するものである。
【先行技術文献】
【特許文献】
【０００３】
【特許文献１】特開２００８−２８９４５７号公報
【発明の概要】
【発明が解決しようとする課題】
【０００４】
しかしながら、特許文献１の防草シートは、そのシートを土壌に被覆した状態で、土壌に固定されないものであるため、風が吹くとそのシートが飛ばされてしまうおそれがあった。その際に、植物を傷つけるおそれもある。また、複数の材質のシートを重ねて縫い付けているため、製造に手間がかかるものである。
本発明は、上記従来技術の持つ問題を解決するため、低コストで製造できると共に、簡単な構造でシートを土壌表面に固定できる防草シート用アンカーを提供する。
【課題を解決するための手段】
【０００５】
請求項１に記載の発明は、囲み枠１の内部に収納された土２の表面が防草シートで被覆され、その周縁を、土に固定する防草シート用アンカーにおいて、
前記囲み枠１と防草シートの周縁との間に挿入される挿入部６ｂと、
前記挿入部６ｂの一方の端部に断面略Ｌ字状に曲折され、前記防草シートの縁部表面に当接される押さえ部６ａと、
を有する防草シート用アンカーである。
【０００６】
請求項２に記載の発明は、前記挿入部６ｂの表面６ｅには、複数の突起６ｄが前記押さえ部６ａの曲折側に切り起こされている請求項１に記載の防草シート用アンカーである。
【０００７】
請求項３に記載の発明は、前記挿入部６ｂの先端は、前記押さえ部６ａの曲折側に断面略レの字状に曲折されている第１の返し部６ｃを有する請求項１又は請求項２のいずれかに記載の防草シート用アンカーである。
請求項４に記載の発明は、前記押さえ部６ａの先端縁には、前記挿入部６ｂに対向して設けられている第２の返し部６ｆを有する請求項１〜請求項３のいずれかに記載の防草シート用アンカーである。
【発明の効果】
【０００８】
請求項１に記載の発明は、囲み枠１の内部に収納された土２の表面が防草シートで被覆され、その周縁を、土に固定する防草シート用アンカーにおいて、囲み枠１と防草シートの周縁との間に挿入される挿入部６ｂと、その挿入部６ｂの一方の端部に断面略Ｌ字状に曲折され、防草シートの縁部表面に当接される押さえ部６ａと、を有するものである。
この構造により、押さえ部６ａによる土２の表面に設置された防草シートの縁部表面を保持でき、強固に防草シートを固定することができる。
すなわち、広い面積の土壌を覆う防草シートが強風により捲れたり、飛ばされることを効果的に防止することができる。
【０００９】
請求項２に記載の発明は、挿入部６ｂの表面６ｅには、複数の突起６ｄがアンカーの押さえ部６ａの曲折側に切り起こされているので、アンカー６の挿入作業を行うことで、挿入部６ｂによりシート本体３の土２の中での保持ができるとともに、アンカー６がシート本体３を引き込むことができるので、挿入作業と共にシート本体３の張り作業を同時に行うことができる。
【００１０】
請求項３に記載の発明によると、挿入部６ｂの先端は、押さえ部６ａの曲折側に断面略レの字状に曲折されている第１の返し部６ｃを設けることができる。
この構成は、アンカーの挿通部６ｂの先端に第１の返し部６ｃが形成されているので、その返し部６ｃにより、アンカー６の先端が土２の中において、くさび状に打ち込まれて固定されるため、アンカー６がさらに抜け難い固定構造となる。
請求項４に記載の発明によると、上記いずれかの構成において、押さえ部６ａの先端縁に、挿入部６ｂに対向して第２の返し部６ｆを設けることができる。
この第２の返し部６ｆは、防草シートの固定時にシート表面を貫通して、土２の中に挿入される。この際、第２の返し部６ｆは防草シートを貫通して、土２の中にくさび状に打ち込まれて固定されるため、防草シートの固定がより強固なものとなる。
【図面の簡単な説明】
【００１１】
【図１】本発明の防草シート用アンカーの第１実施例を示す斜視図。
【図２】同アンカーの使用状態を示す斜視図。
【図３】同アンカーの使用状態を示す図２のＩＩＩ−ＩＩＩ矢視断面図。
【図４】本発明で使用する防草シートの一例を示す平面図。
【図５】同防草シートを敷設した状態を示す断面図。
【図６】本発明の防草シート用アンカーの使用方法を示す説明図。
【図７】本発明の防草シート用アンカーの他の例を示す斜視図。
【図８】本発明の防草シート用アンカーのさらに他の例を示す斜視図。
【図９】本発明の防草シート用アンカーのさらに他の例を示す斜視図及び断面図。
【発明を実施するための形態】
【００１２】
次に、図面に基づいて、本発明の実施の形態につき説明する。
【実施例１】
【００１３】
図１〜図６は、本発明の第１実施例を示す。
本発明は、図２に示す如く、囲み枠１の内部に収納された土２の表面が柔軟な防草シートで被覆され、その周縁を、土に固定する防草シート用アンカーに関するものである。防草シートは透水性のある不織布などにより、形成することが好ましい。
そのアンカーの構造は、図１に示す如く、板材の形成体からなるものであり、囲み枠１と防草シートの周縁との間に挿入される挿入部６ｂと、その挿入部６ｂの一方の端部に断面略Ｌ字状に曲折され、防草シートの縁部表面に当接される押さえ部６ａを有する。
【００１４】
その挿入部６ｂの表面６ｅには、図１に示す如く、複数の突起６ｄが押さえ部６ａの曲折側に切り起こされており、その突起６ｄの切り起こされた先端がアンカーの挿通方向と同一の方向に向いている。突起６ｄの切り起こし位置は、アンカーの上部にある押さえ部６ａ側に片寄らせて形成しておくと良い。
そして、挿入部６ｂの他方の端部には、押さえ部６ａ側に向けて断面略レの字状に曲折されている第１の返し部６ｃを有している。第１の返し部１ｃの先端は、アンカーの挿通方向の逆側に向いている。表面６ｅと返し部６ｃ先端とのなす傾斜角は、鋭角とすることが望ましい。
なお、板材の材質は、ステンレス等の金属を用いることができるが、それに限らず、樹脂や木材、その他の素材からなるものでも良い。
【００１５】
このアンカー６は、図２に示す如く、囲み枠１の周方向に離間して配置される。
アンカー６の押さえ部６ａが防草シートのシート本体３の縁部表面に当接し、挿入部６ｂの表面６ｅに形成された突起６ｄで、シート本体３の周縁に形成された舌部５を保持する。アンカーの挿入部６ｂは、図３に示す如く、シート本体３の舌部５を介して、囲み枠１の内周と土２の間に配置され、アンカーが固定される。
その際、挿入部６ｂの突起６ｄがシート本体３の舌部５に貫通している状態になる。挿入部６ｂの囲み枠１に隣接する側は、略平坦に形成されている。
【００１６】
ここで、防草シートのシート本体３の構造を説明する。
シート本体３は、図４に示すように、その周縁が囲み枠１の外周より大に形成されている。そして、シート本体３の周縁に周方向に離間して、囲み枠１の中心部に対して外側に突出した舌部５を複数有する。
具体的には、シート本体３の周方向に互いに離間して、その縁から中心部に向かう複数の縁部切り込み９を周縁に有し、隣合う縁部切り込み９間に舌部５が形成されている。そのうち一つの舌部５には、その舌部５の縁から中心の挿通部１２まで達する中心切り込み１０が形成されている。
この防草シートを囲み枠１の土２の表面に敷設する際は、図５に示す如く、防草シートの舌部５を土２と囲み枠１の内周との間に挿入した状態で、シート本体３を土壌の表面に被覆する。
【００１７】
次に、本発明のアンカーの使用方法の一例を説明する。
例えば、このアンカーを使用する際、図４及び図５に示すように、シート本体３を予め、街路樹の根元と土２を収納した囲み枠１に敷設しておく。
次いで、図６（Ａ）に示すように、挿入部６ｂの突起６ｄが突出する表面６ｅをシート本体３側に向け、その反対側の面を囲み枠１の壁面側に向けた状態で、アンカーを囲み枠１の壁面に沿って挿入方向へ押込む。
すると、図６（Ａ）のごとく、囲み枠１の周辺に位置していた土２と舌部５が、アンカーの第１の返し部６ｃにより、押しのけられ、アンカーの先端が土２への侵入を開始する。
【００１８】
シート本体３の舌部５は、第１の返し部６ｃの面に沿って移動する。そして、アンカー６の挿通がシート本体の舌部５の先端まで挿通されると、今度は、その舌部５は、土２に押されて図５の位置に戻る。シート本体の舌部５が元の位置に戻ると、土２の表面を覆っているシート本体３がよれる場合がある。そのような場合があっても、挿入部６ｂに形成された突起６ｄが舌部５を貫通し、その状態で舌部５をアンカーの挿入方向へ引き込む。その結果、シート本体３を張った状態で、固定することができる。そして、アンカー６の第１の返し部６ｃが土２の中において、くさび状に打ち込まれて固定され、アンカー６が強固に固定される。その結果、アンカー６の押さえ部６ａによりシート本体３が固定される。
シート本体３の強度は、突起６ｄが舌部５を貫通できる程度とすると良い。
【００１９】
アンカー６の形状は、さらに、次の改良を加えることで、より防草シートの固定を強固にすることができる。すなわち、図９に示す如く、押さえ部６ａの先端縁に、挿入部６ｂに対向して押さえ部６ａ側に向けて曲折されている第２の返し部６ｆを設けることができる。この例では、この第２の返し部６ｆの先端の向きは、押さえ部６ａ側に向けて断面逆レの字状に内側に曲折されている（外側に曲折しても良い）。
この押さえ部６ａに設けられた第２の返し部６ｆは、アンカー６を防草シートに押し込んで固定する際、シート本体３の縁部の一部を外面側から貫通して、土２の中に挿入される。この際、第２の返し部６ｆは防草シートを貫通して、土２の中にくさび状に打ち込まれて固定されるため、防草シートの固定がより強固なものとなる。
【００２０】
アンカー６の形状は、上記に例示したもの以外の形状であってもよい。具体的には、図７のように、突起６ｄを形成し、返し部６ｃを省いたものとしてもよい。逆に、図８のように、返し部６ｃを形成し、突起６ｄを省いたものとしてもよい。
【符号の説明】
【００２１】
１  囲み枠
１ａ  壁部
２  土
３  シート本体
４  周縁部
５  舌部
６  アンカー
６ａ  押さえ部
６ｂ  挿入部
６ｃ  返し部
６ｄ  突起
６ｅ  表面
６ｆ  返し部
９  縁部切り込み
１０  中心切り込み
１２  挿通部
１３  幹
【図１】
2020171227.tif 000003
【図２】
2020171227.tif 000004
【図３】
2020171227.tif 000005
【図４】
2020171227.tif 000006
【図５】
2020171227.tif 000007
【図６】
2020171227.tif 000008
【図７】
2020171227.tif 000009
【図８】
2020171227.tif 000010
【図９】
2020171227.tif 000011